【手続補正書】
【提出日】平成19年8月6日(2007.8.6)
【手続補正１】
【補正対象書類名】明細書
【補正対象項目名】特許請求の範囲
【補正方法】変更
【補正の内容】
【特許請求の範囲】
【請求項１】  複数の光電変換素子が配列されたセンサアレイの一ラインから又は複数の光電変換素子が配列されたセンサアレイの複数ラインを順に選択し、その選択されたラインから、各光電変換素子の光信号とノイズ信号が出力され、出力された複数の該光信号と複数の該ノイズ信号をそれぞれｎ本（ｎは２以上の自然数）の光信号側共通出力線とｎ本のノイズ信号側共通出力線に振り分けて読み出し、前記光信号側共通出力線と前記ノイズ信号側共通出力線とが接続される差分出力手段のｎ個により、同一の光電変換素子から出力される前記光信号と前記ノイズ信号との差分信号をそれぞれ出力する固体撮像装置において、
前記ｎ本の光信号側共通出力線と前記ｎ本のノイズ信号側共通出力線は並行に配され、これら２ｎ本の共通出力線の少なくとも４本の配列が第１の光信号側共通出力線、第１のノイズ信号側共通出力線、第２のノイズ信号側共通出力線、第２の光信号側共通出力線の順に配置され、
前記第１の光信号側共通出力線と前記第１のノイズ信号側共通出力線とが第１の差分出力手段に接続され、前記第２の光信号側共通出力線と前記第２のノイズ信号側共通出力線とが第２の差分出力手段に接続されることを特徴とする固体撮像装置。
【請求項２】  ｎ個の前記差分出力手段の内の一の差分出力手段に接続される前記光信号側共通出力線と前記ノイズ信号側共通出力線とにそれぞれ前記光信号と前記ノイズ信号とを読み出すタイミングと、該一の差分出力手段に隣接する他の差分出力手段に接続される前記光信号側共通出力線と前記ノイズ信号側共通出力線とにそれぞれ前記光信号と前記ノイズ信号とを読み出すタイミングにおいて、該一の差分出力手段と該他の差分出力手段との間で位相をずらしたことを特徴とする請求項１に記載の固体撮像装置。
【請求項３】  前記選択されたラインの各光電変換素子から前記光信号と前記ノイズ信号をそれぞれ光信号保持容量とノイズ信号保持容量に保持し、複数の該光信号保持容量と複数の該ノイズ信号保持容量に保持された１行分の複数の前記光信号と複数の前記ノイズ信号を転送スイッチを介してそれぞれ前記ｎ本の光信号側共通出力線と前記ｎ本のノイズ信号側共通出力線に振り分けて読み出す請求項１に記載の固体撮像装置。
【請求項４】  前記ｎは３以上であって、前記第１の光信号側共通出力線、前記第１のノイズ信号側共通出力線、前記第２のノイズ信号側共通出力線、前記第２の光信号側共通出力線の順に配置された部分を一つの配列部としたとき、該配列部の少なくとも一方に隣接して光信号側共通出力線が配列され、
前記配列部に隣接して配される前記光信号側共通出力線と前記配列部の前記第１又は第２の光信号側共通出力線との間隔が、該配列部内の光信号及びノイズ信号側共通出力線の配置間隔に比べて広いことを特徴とする請求項１に記載の固体撮像装置。
【請求項５】  前記２ｎ本の共通出力線の内の、隣接するノイズ信号側共通出力線間、もしくは隣接する光信号側共通出力線とノイズ信号側共通出力線との間に、又は前記２ｎ本の共通出力線の外側に、固定電位を供給したシールド配線を前記２ｎ本の共通出力線と同一の面に配置したことを特徴とする請求項１に記載の固体撮像装置。
【請求項６】  前記ｎは２であって、前記第１のノイズ信号側共通出力線と前記第２のノイズ信号側共通出力線との間、前記第１の光信号側共通出力線と前記第１のノイズ信号側共通出力線との間もしくは前記第２のノイズ信号側共通出力線と前記第２の光信号側共通出力線との間、又は前記第１の光信号側共通出力線と前記第２の光信号側共通出力線の外側に、固定電位を供給したシールド配線を４本の前記共通出力線と同一の面に配置したことを特徴とする請求項１に記載の固体撮像装置。
【請求項７】  請求項１に記載の固体撮像装置と、前記固体撮像装置によって撮像された画像を処理するプロセッサとを備えることを特徴とするカメラ。
【請求項８】  請求項１に記載の固体撮像装置と、前記固体撮像装置によって撮像された画像を処理するプロセッサとを備えることを特徴とするカメラ制御システム。
【請求項９】  複数の信号源の各信号源から第１信号と該第１信号よりも信号レベルの低い第２信号が出力され、複数の前記第１信号と複数の前記第２信号はそれぞれｎ本（ｎは２以上の自然数）の第１信号側共通出力線とｎ本の第２信号側共通出力線に振り分けて読み出され、前記第１信号側共通出力線と前記第２信号側共通出力線とが接続される差分出力手段のｎ個により、同一の信号源から出力される前記第１信号と前記第２信号との差分信号をそれぞれ出力する信号出力装置において、
前記ｎ本の第１信号側共通出力線と前記ｎ本の第２信号側共通出力線は並行に配され、これら２ｎ本の共通出力線の少なくとも４本の配列が第１の第１信号側共通出力線、第１の第２信号側共通出力線、第２の第２信号側共通出力線、第２の第１信号側共通出力線の順に配置され、
前記第１の第１信号側共通出力線と前記第１の第２信号側共通出力線とが第１の差分出力手段に接続され、前記第２の第１信号側共通出力線と前記第２の第２信号側共通出力線とが第２の差分出力手段に接続されることを特徴とする信号出力装置。
【請求項１０】  複数の信号源の各信号源から第１信号と該第１信号よりも信号レベルの低い第２信号とを出力する信号出力方法であって、
複数の前記第１信号と複数の前記第２信号をそれぞれｎ本（ｎは２以上の自然数）の第１信号側共通出力線とｎ本の第２信号側共通出力線に振り分けて読み出すステップと、
前記第１信号側共通出力線と前記第２信号側共通出力線とが接続される差分出力手段のｎ個により、同一の信号源から出力される前記第１信号と前記第２信号との差分信号をそれぞれ出力するステップとを有し、
前記ｎ個の差分出力手段は第１の差分出力手段と第２の差分出力手段とを含み、
前記ｎ本の第１信号側共通出力線と前記ｎ本の第２信号側共通出力線は並行に配され、 前記ｎ本の第１信号側共通出力線と前記ｎ本の第２信号側共通出力線のうち、少なくと も４本の配列が第１の第１信号側共通出力線、第１の第２信号側共通出力線、第２の第 ２信号側共通出力線、第２の第１信号側共通出力線の順に配置され、
前記第１の第１信号側共通出力線と前記第１の第２信号側共通出力線とが第１の差分出力手段に接続され、前記第２の第１信号側共通出力線と前記第２の第２信号側共通出力線とが第２の差分出力手段に接続されることを特徴とする信号出力方法。
【請求項１１】  複数の光電変換素子を含むセンサアレイと、
第１及び第２の光信号側共通出力線を含む複数の光信号側共通出力線と、
第１及び第２のノイズ信号側共通出力線を含む複数のノイズ信号側共通出力線と、
第１及び第２の差分出力手段を含み、それぞれ、光電変換素子から出力された光信号とノイズ信号から導かれる信号間の差信号を出力する複数の差分出力手段と、を有し、
前記複数の光信号側共通出力線と複数のノイズ信号側共通出力線とは、前記第１の光信号側共通出力線、前記第１のノイズ信号側共通出力線、前記第２の光信号側共通出力線、前記第２のノイズ信号側共通出力線の順に配置され、
前記第１の光信号側共通出力線と前記第１のノイズ信号側共通出力線とは前記第１の差分出力手段に接続され、前記第２の光信号側共通出力線と前記第２のノイズ信号側共通出力線とは前記第２の差分出力手段に接続されていることを特徴とする固体撮像装置。
【請求項１２】  第１信号及び第２信号をそれぞれ出力する第１及び第２の信号源と、
前記第１の信号源から出力された第１の信号が出力される第１の信号線と、
前記第１の信号源から出力された第２の信号が出力される第２の信号線と、
前記第２の信号源から出力された第２の信号が出力される第３の信号線と、
前記第２の信号源から出力された第１の信号が出力される第４の信号線と、
前記第1及び第２の信号線が接続され、前記第１の信号源から出力される前記第1信号と前記第２信号との間の差分信号を出力する第１の差分出力手段と、
前記第３及び第４の信号線が接続され、前記第２の信号源から出力される前記第1信号と前記第２信号との間の差分信号を出力する第２の差分出力手段と、
前記第１の信号線、前記第２の信号線、前記第３の信号線及び前記第４の信号線がこの順に配置され、
前記第１及び第２の信号源から出力される前記第２信号の信号レベルが、前記第１及び第２の信号源から出力される前記第１信号の信号レベルよりも低いことを特徴とする信号出力装置。
【手続補正２】
【補正対象書類名】明細書
【補正対象項目名】００３０
【補正方法】変更
【補正の内容】
【００３０】
本発明の信号出力装置は、複数の信号源の各信号源から第１信号と該第１信号よりも信号レベルの低い第２信号が出力され、複数の前記第１信号と複数の前記第２信号はそれぞれｎ本（ｎは２以上の自然数）の第１信号側共通出力線とｎ本の第２信号側共通出力線に振り分けて読み出され、前記第１信号側共通出力線と前記第２信号側共通出力線とが接続される差分出力手段のｎ個により、同一の信号源から出力される前記第１信号と前記第２信号との差分信号をそれぞれ出力する信号出力装置において、
前記ｎ本の第１信号側共通出力線と前記ｎ本の第２信号側共通出力線は並行に配され、これら２ｎ本の共通出力線の少なくとも４本の配列が第１の第１信号側共通出力線、第１の第２信号側共通出力線、第２の第２信号側共通出力線、第２の第１信号側共通出力線の順に配置され、
前記第１の第１信号側共通出力線と前記第１の第２信号側共通出力線とが第１の差分出力手段に接続され、前記第２の第１信号側共通出力線と前記第２の第２信号側共通出力線とが第２の差分出力手段に接続されることを特徴とするものである。
本発明の信号出力方法は、複数の信号源の各信号源から第１信号と該第１信号よりも信号レベルの低い第２信号とを出力する信号出力方法であって、
複数の前記第１信号と複数の前記第２信号をそれぞれｎ本（ｎは２以上の自然数）の第１信号側共通出力線とｎ本の第２信号側共通出力線に振り分けて読み出すステップと、
前記第１信号側共通出力線と前記第２信号側共通出力線とが接続される差分出力手段のｎ個により、同一の信号源から出力される前記第１信号と前記第２信号との差分信号をそれぞれ出力するステップとを有し、
前記ｎ個の差分出力手段は第１の差分出力手段と第２の差分出力手段とを含み、
前記ｎ本の第１信号側共通出力線と前記ｎ本の第２信号側共通出力線は並行に配され、 前記ｎ本の第１信号側共通出力線と前記ｎ本の第２信号側共通出力線のうち、少なくと も４本の配列が第１の第１信号側共通出力線、第１の第２信号側共通出力線、第２の第 ２信号側共通出力線、第２の第１信号側共通出力線の順に配置され、
前記第１の第１信号側共通出力線と前記第１の第２信号側共通出力線とが第１の差分出力手段に接続され、前記第２の第１信号側共通出力線と前記第２の第２信号側共通出力線とが第２の差分出力手段に接続されることを特徴とするものである。
また本発明の固体撮像装置は、複数の光電変換素子を含むセンサアレイと、
第１及び第２の光信号側共通出力線を含む複数の光信号側共通出力線と、
第１及び第２のノイズ信号側共通出力線を含む複数のノイズ信号側共通出力線と、
第１及び第２の差分出力手段を含み、それぞれ、光電変換素子から出力された光信号とノイズ信号から導かれる信号間の差信号を出力する複数の差分出力手段と、を有し、
前記複数の光信号側共通出力線と複数のノイズ信号側共通出力線とは、前記第１の光信号側共通出力線、前記第１のノイズ信号側共通出力線、前記第２の光信号側共通出力線、前記第２のノイズ信号側共通出力線の順に配置され、
前記第１の光信号側共通出力線と前記第１のノイズ信号側共通出力線とは前記第１の差分出力手段に接続され、前記第２の光信号側共通出力線と前記第２のノイズ信号側共通出力線とは前記第２の差分出力手段に接続されていることを特徴とするものである。
また本発明の信号出力装置は、第１信号及び第２信号をそれぞれ出力する第１及び第２の信号源と、
前記第１の信号源から出力された第１の信号が出力される第１の信号線と、
前記第１の信号源から出力された第２の信号が出力される第２の信号線と、
前記第２の信号源から出力された第２の信号が出力される第３の信号線と、
前記第２の信号源から出力された第１の信号が出力される第４の信号線と、
前記第1及び第２の信号線が接続され、前記第１の信号源から出力される前記第1信号と前記第２信号との間の差分信号を出力する第１の差分出力手段と、
前記第３及び第４の信号線が接続され、前記第２の信号源から出力される前記第1信号と前記第２信号との間の差分信号を出力する第２の差分出力手段と、
前記第１の信号線、前記第２の信号線、前記第３の信号線及び前記第４の信号線がこの順に配置され、
前記第１及び第２の信号源から出力される前記第２信号の信号レベルが、前記第１及び第２の信号源から出力される前記第１信号の信号レベルよりも低いことを特徴とするものである。